(57)【要約】【課題】立体物を展示できると共に写真、メッセージカード等も的確に展示することができる立体物展示ケースを提供する。【解決手段】複数枚の透明板材２１を磁力により重ね合わせてなる透明板セット２を、枠状のケース本体２の前後開口１１、１２の一方の開口に磁力により着脱自在に覆う構造とする。【選択図】図１
0003205031.tif 000002
【実用新案登録請求の範囲】
【請求項１】
複数枚の透明板材を磁力により着脱自在に重ね合わせてなる透明板セットを、枠状のケース本体の前後開口の一方の開口に磁力により着脱自在に覆う構造としたことを特徴とする立体物展示ケース。
【請求項２】
前記枠状のケース本体の前後開口の他方の開口を一枚の透明板材若しく前記透明板セットを磁力により着脱自在に覆うものとした請求項１に記載の立体物展示ケース。
【請求項３】
前記枠状のケース本体の前後開口の他方の開口を透明板材若しくは非透明板材を固定して覆うものとした請求項１に記載の立体物展示ケース。
【請求項４】
前記枠状のケース本体を透明材よりなるものとした請求項１〜３の何れか１項に記載の立体物展示ケース。
【考案の詳細な説明】
【技術分野】
【０００１】
本考案は、ドライフラワー、人形、乗物模型等の立体物と共にこれら立体物と関連する写真、メッセージカード等も的確に展示することができる立体物展示ケースに関するものである。
【背景技術】
【０００２】
立体物であるドライフラワーを展示するケースは、前面が開口された箱と、該前面を覆う透明な前板より構成されたものが知られております（特許文献１、２参照）。
【０００３】
ところが、前記したケースは立体物を収納して展示するに過ぎないものであり、立体物と関連する写真、メッセージカード等を同時に展示するための配慮がされていないものであった。そのため、写真、メッセージカード等をケース内で透明な前板の後側又は背面板の前側に添わせて展示を行うものであった。
【０００４】
しかしながら、前記したように写真等をケース内に収納する方法では、写真等を所定の位置に的確に収納するに接着剤、粘着テープにより透明板、背面板に固定する必要があり、接着剤等による固定作業は面倒であるばかりでなく、写真等を剥がす場合に破損する問題があった。
【先行技術文献】
【特許文献】
【０００５】
【特許文献１】特開２００１−９７８０１号公報
【特許文献２】登録実用新案３０３５７３９号公報
【考案の概要】
【考案が解決しようとする課題】
【０００６】
本考案は前記のような問題を解決して、立体物を展示できると共に写真、、メッセージカード等も的確に展示することができる立体物展示ケースを提供することを目的として完成されたものである。
【課題を解決するための手段】
【０００７】
本考案の立体物展示ケースは、複数枚の透明板材を磁力により着脱自在に重ね合わせてなる透明板セットを、枠状のケース本体の前後開口の一方の開口に磁力により着脱自在に覆う構造としたことを特徴とするものである。
【０００８】
また、前記枠状のケース本体の前後開口の他方の開口を一枚の透明板材若しく前記透明板セットを磁力により着脱自在に覆うものとしてもよいものである。
【０００９】
また、前記磁力により着脱自在とする手段は、各透明板材にあっては永久磁石を各透明板材の表裏面から露出させず埋め込んだものあり、また、ケース本体にあっては枠の前後面から露出させず埋め込んだものである。
【００１０】
また、前記枠状のケース本体の前後開口の他方の開口を透明板材若しくは非透明板材を固定して覆うものとしてもよいものである。
【００１１】
また、前記枠状のケース本体を透明材よりなるものとしてもよい。
【考案の効果】
【００１２】
前記した本考案の立体物展示ケースは、複数枚の透明板材を磁力により着脱自在に重ね合わせてなる透明板セットを、枠状のケース本体の前後開口の一方の開口に磁力により着脱自在に覆う構造としたものであるから、先ず、透明板セットをケース本体の一方の開口から磁力に抗して外す。
【００１３】
その後、透明板セットの各透明板材を磁力に抗して重ね合わせた状態から解除して、1枚の透明板材の上方側となる面に写真等を載せ、該写真等を覆うように他の1枚の透明板材を重ね合わせる。そうすると、前記写真等は磁力により重ね合わせた２枚の透明板材の間に挟持されて透明板セットに移動する虞なく的確に保持されることとなる。
【００１４】
続いて、前記ケース本体に立体物を収納して、前記写真等を保持した透明板セットを前記ケース本体の一方の開口に磁力により着脱自在に覆えば、立体物と写真等を的確に展示できるものである。
【００１５】
また、前記枠状のケース本体の前後開口の他方の開口を一枚の透明板材若しく前記透明板セットを磁力により着脱自在に覆うものとしたものにあっては、この他方の開口からも立体物を収納できるものである。
【００１６】
また、前記磁力により着脱自在とする手段は、各透明板材にあっては永久磁石を各透明板材の表裏面から露出させず埋め込んだものとすると、前記写真等は隙間なく２枚の透明板材の間に挟持されて透明板セットに的確に保持されることとなる。また、ケース本体にあっては枠の前後面から露出させず埋め込んだものであるから、透明板材及び透明板セットは密閉した状態で開口を覆うこととなり、収納した立体物の変質を防止するため入れる乾燥剤、防腐剤が長持ちするものである。
【図面の簡単な説明】
【００１７】
【図１】本考案の実施形態を示す斜視図である。
【図２】本考案の実施形態を分解して示す斜視図である。
【図３】立体物、写真、メッセージカード等を展示した状態の1例を示す斜視図である。
【図４】立体物、写真、メッセージカード等を展示した状態の他例を示す斜視図である。
【図５】実施形態の要部を示す拡大断面図である。
【考案を実施するための形態】
【００１８】
次に、本考案の好ましい実施の形態を図面に基づいて説明する。
１は前後を開口した枠状のケース本体であり、形状及び材質は特に限定されるものではないが、図１に示すものは四角枠状で透明アクリル板よりなるもとしている。
【００１９】
２は前記枠状のケース本体１の前後開口１１、１２の一方の開口すなわち前側の開口１１を磁力により着脱自在に覆う透明板セットである。この透明板セット２は複数枚の透明板材２１を磁力により着脱自在に重ね合わせてなるものある。図１に示すものは２枚の透明板材２１で構成したものである。この透明板材２１は透明アクリル板材よりなるものとすることが耐久性、取扱いの観点から好ましいものであるが、その他の透明プラスチック板材又はガラス板材であってもよい。
【００２０】
また、前記枠状のケース本体１の前後開口１１、１２の他方の開口すなわち後側の開口１２を１枚の透明板材２１若しく前記透明板セット２を磁力により着脱自在に覆うものとしている。図１に示すものは１枚の透明板材２１により覆うものとしている。これにより、立体展示物のケース本体１への格納、取出しは前後開口１１、１２のどちらかでもできるものとなる。また、前後開口１１、１２の双方から内部を透視できることとなるので、前後開口１１、１２のどちら側を正面とすることができるものである。
【００２１】
また、前記磁力により着脱自在とする手段は、各透明板材２１にあっては永久磁石３を各透明板材２１の表裏面から露出させずに埋め込んだものである。具体的には図５に示すように透明板材２１に設けた貫通孔２１ａに該透明板材２１の板厚より薄い永久磁石３を嵌合して埋め込んだものである。また、ケース本体１にあっては枠の前後面11a、12aに穴部１３、１３を設けて、永久磁石３が前後面11a、12aの表面から露出させない状態で嵌合して埋め込んだものである。永久磁石３は磁力が強力なネオジム磁石が好ましいものである。
【００２２】
なお、前記各永久磁石３は貫通孔２１ａ及び穴部１３に固定状態で埋め込むための手段としては、ケース本体１及び透明板材２１が前記したようにアクリル材よりなるものであれば、貫通孔２１ａ及び穴部１３の内径を永久磁石３の外径より小さくしてアクリルの持つ弾性を利用して圧入することにより固定状態を維持できるものである。その他に接着剤を使用して固定することでき、固定状態として埋め込むための手段であれば特に限定されるものではないものである。
【００２３】
また、前記枠状のケース本体１の前後開口１１、１２の他方の開口すなわち後側の開口１２を透明板材若しくは非透明板材を固定して覆うものとしてもよいものである。この場合当然に、立体展示物のケース本体１への収納、取出しは前後開口１１、１２の一方の開口すなわち前側の開口１１により行うものとなる。
【００２４】
このように構成されたものは、先ず、透明板セット２をケース本体１の一方の開口から磁力に抗して外す。その後、透明板セット２の各透明板材２１を磁力に抗して重ね合わせた状態から解除して、1枚の透明板材の上方側となる面に写真、メッセージカード等（イ）を載せ、該写真、メッセージカード等を覆うように他の1枚の透明板材を重ね合わせる。そうすると、前記写真、メッセージカード等（イ）は磁力により重ね合わせた２枚の透明板材２１、２１の間に挟持されて透明板セット２に移動する虞なく的確に保持されることとなる。
【００２５】
続いて、前記ケース本体１に前記写真、メッセージカード等（イ）と関連ある小物や装飾するドライフラワー等の立体物（ロ）を収納して、前記写真、メッセージカード等（イ）を保持した透明板セット２を前記ケース本体１の一方の開口に磁力により着脱自在に覆えば、立体物（ロ）と写真、メッセージカード等（イ）を的確に展示できるものである。
【００２６】
なお、前記枠状のケース本体１の前後開口１１、１２の他方の開口すなわち後側の開口１２を一枚の透明板材２１若しく前記透明板セット２を磁力により着脱自在に覆うものとした場合は、立体展示物のケース本体１への格納、取出しは前後開口１１、１２のどちらかでもできるものとなる。前後開口１１、１２の双方から内部を透視できることとなるので、前後開口１１、１２のどちら側を正面とすることができるものである。
【００２７】
具体的展示としては、図３に示すように、ケース本体１の前側の開口１１を赤ちゃんの写真（イ）を保持した透明板セット２で覆い、後側の開口１２を１枚の透明板材２１で覆って、ケース本体１内に赤ちゃんの手形である立体物（ロ）を写真の後側とする収納展示方法がある。また、図４に示すように、後側の開口１２を結婚式の写真（イ）を保持した透明板セット２で覆い、前側の開口１１を１枚の透明板材２１で覆って、ケース本体１内に結婚式の思い出の品である保存用のブーケである立体物が写真、メッセージカードの前側となる収納展示した立体物が写真、メッセージカード等の前側とする方法がある。
【００２８】
また、ケース本体１の前後面に埋め込んだ永久磁石３は表面側がＮ極、Ｓ極のどちらかの同一極となるようにして、透明板材２１に埋め込んだ永久磁石３はケース本体１と接する側がケース本体１の永久磁石３とは逆の極としていることは当然である。
【符号の説明】
【００２９】
１  ケース本体
11  開口
12  開口
２  透明板セット
21  透明板材
21a 貫通孔
３  永久磁石
【図１】
0003205031.tif 000003
【図２】
0003205031.tif 000004
【図３】
0003205031.tif 000005
【図４】
0003205031.tif 000006
【図５】
0003205031.tif 000007